(57)【特許請求の範囲】
【請求項１】
冠婚葬祭で用いられ、出席者の情報を記載するための書式が示された用紙が載置された載置部、前記用紙に書き込んだ情報を読み取るための読取機が収納された第２収納部、及び、前記読取機で読み取られた前記情報を表示するモニタが収納された第１収納部、を有するテーブル部と、
該テーブル部を支持する脚部と、
を備え、
前記載置部と前記第１収納部との間に前記第２収納部が配置され、
前記第１収納部と、前記第２収納部とが前記テーブル部の左側半分に設けられ、
前記載置部が前記テーブル部の右側半分に設けられ、
前記読取機が前記テーブル部の手前側に設けられ、且つ前記読取機の奥側の端から前記テーブル部の奥側の端までの距離Ｌ２が、前記読取機の手前側の端から前記テーブル部の手前側の端までの距離Ｌ１よりも大きくなっており、
前記テーブル部には、前記読取機で読み取られた前記情報を格納するコンピュータが内蔵されている読取機付き机。
【請求項２】
冠婚葬祭で用いられ、出席者の情報を記載するための書式が示された用紙が載置された載置部、前記用紙に書き込んだ情報を読み取るための読取機が収納された第２収納部、及び、前記読取機で読み取られた前記情報を表示するモニタが収納された第１収納部、を有するテーブル部と、
該テーブル部を支持する脚部と、
を備え、
前記第２収納部が、前記載置部と前記第１収納部との間に配置され、出席者の進行方向に直交する方向に配置された左側の第２左収納部と、右側の第２右収納部とからなり、
前記第２左収納部及び前記第２右収納部には、それぞれ独立に、読取機が収納され、
前記テーブル部には、前記読取機で読み取られた前記情報を格納するコンピュータが内蔵され、
反転させることにより、出席者の逆の進行方向に対しても適用可能な読取機付き机。
【請求項３】
前記モニタが平板状であり、上方に向けて前記情報を表示するようになっている請求項１又は２に記載の読取機付き机。
【請求項４】
前記読取機の読取面が平面状であり、該読取面に、前記用紙を載置した状態で、前記読取機が該用紙に書き込まれた情報を読み取る請求項１〜３のいずれか１項に記載の読取機付き机。
【請求項５】
前記読取面が、前記載置部の表面よりも下がっている請求項４記載の読取機付き机。
【請求項６】
前記脚部が折り畳み可能となっている請求項１〜５のいずれか１項に記載の読取機付き机。
【請求項７】
請求項１〜６のいずれか１項に記載の読取機付き机を用いた情報出力システムであって、
出席者が、載置部に載置してある所定の用紙に情報を書き込む書込ステップと、
情報が書き込まれた前記用紙を、前記載置部の隣の第２収納部に収納された読取機の読取面の上に、裏面を上にして載置し、前記読取機で読み取る読取りステップと、
前記用紙に書き込まれた情報がモニタに表示される表示ステップと、
前記用紙に書き込まれた情報がコンピュータに電子データ化されて格納される格納ステップと、
コンピュータに格納された情報を、出力用コンピュータが受け取る受け取りステップと、
該出力用コンピュータが情報を一定の配列で並び替える並び替えステップと、
並び替えられた情報をそのまま記録媒体に出力する出力ステップと、
からなる情報出力システム。
【発明の詳細な説明】
【技術分野】
【０００１】
本発明は、読取機付き机及びそれを用いた情報出力システムに関し、更に詳しくは、用紙に書き込んだ情報を、その場で確認しながら電子データとして格納することができる読取機付き机、及び、格納された情報を一定の配列で並び替えた状態で記録媒体に格納することができる情報出力システムに関する。
【背景技術】
【０００２】
冠婚葬祭等においては、主催者がいわゆる芳名帳を準備し、テーブルの上に置いて、出席者に、住所、氏名、役職等の情報を記入してもらい、それに基づいて、出席者の確認や名簿の作成が行われている。
【０００３】
ところが、芳名帳は、一般に厚い冊子であるため、出席者にとっては、書きにくいという欠点がある。
また、出席者が来場した順序で芳名帳に記入するので、主催者にとっては、出席者の確認や整理が面倒であり、親族、友人、勤務先関係等に区分けすることもできない。
【０００４】
これに対し、ファイリング可能な記名用カードが知られている（例えば、特許文献１参照）。かかる記名用カードによれば、記入も簡単であり、親族、友人、勤務先関係等の整理区分に応じてファイリングすることで、記入後のカードを整理することができる。
【先行技術文献】
【特許文献】
【０００５】
【特許文献１】特開平１０−２４４７８４号公報
【発明の概要】
【発明が解決しようとする課題】
【０００６】
しかしながら、上記特許文献１記載の記名用カードは、ファイリングが手作業であるので、手間がかかるという欠点があり、順序を間違えたり、紛失したりする恐れもある。
また、出席者の記入した文字が読めないという事態も生じうる。
【０００７】
本発明は上記事情に鑑みてなされたものであり、用紙に書き込んだ情報を、その場で確認しながら電子データとして格納することができる読取機付き机、及び、格納された情報を一定の配列で並び替えた状態で記録媒体に格納することができる情報出力システムを提供することを目的とする。
【課題を解決するための手段】
【０００８】
本発明者は、上記課題を解決するため、読取機付きの机を検討した。そして、用紙に書き込まれた情報を読み取る読取機と、読み取った情報を表示するモニタとをテーブル部に設置し、且つ、その情報を格納するコンピュータを内蔵することで、上記課題を解決できることを見出し、本発明を完成させるに至った。
【０００９】
本発明は、（１）冠婚葬祭で用いられ、出席者の情報を記載するための書式が示された用紙が載置された載置部、用紙に書き込んだ情報を読み取るための読取機が収納された第２収納部、及び、読取機で読み取られた情報を表示するモニタが収納された第１収納部、を有するテーブル部と、該テーブル部を支持する脚部と、を備え、載置部と第１収納部との間に第２収納部が配置され、第１収納部と、第２収納部とがテーブル部の左側半分に設けられ、載置部がテーブル部の右側半分に設けられ、読取機がテーブル部の手前側に設けられ、且つ読取機の奥側の端からテーブル部の奥側の端までの距離Ｌ２が、読取機の手前側の端からテーブル部の手前側の端までの距離Ｌ１よりも大きくなっており、テーブル部には、読取機で読み取られた情報を格納するコンピュータが内蔵されている読取機付き机に存する。
【００１０】
本発明は、（２）冠婚葬祭で用いられ、出席者の情報を記載するための書式が示された用紙が載置された載置部、用紙に書き込んだ情報を読み取るための読取機が収納された第２収納部、及び、読取機で読み取られた情報を表示するモニタが収納された第１収納部、を有するテーブル部と、該テーブル部を支持する脚部と、を備え、第２収納部が、載置部と第１収納部との間に配置され、出席者の進行方向に直交する方向に配置された左側の第２左収納部と、右側の第２右収納部とからなり、第２左収納部及び第２右収納部には、それぞれ独立に、読取機が収納され、テーブル部には、読取機で読み取られた情報を格納するコンピュータが内蔵され、反転させることにより、出席者の逆の進行方向に対しても適用可能な読取機付き机に存する。
【００１１】
本発明は、（３）モニタが平板状であり、上方に向けて情報を表示するようになっている上記（１）又は（２）に記載の読取機付き机に存する。
【００１２】
本発明は、（４）読取機の読取面が平面状であり、該読取面に、用紙を載置した状態で、読取機が該用紙に書き込まれた情報を読み取る上記（１）〜（３）のいずれか１つに記載の読取機付き机に存する。
【００１３】
本発明は、（５）読取面が、載置部の表面よりも下がっている上記（４）記載の読取機付き机に存する。
【００１４】
本発明は、（６）脚部が折り畳み可能となっている上記（１）〜（５）のいずれか１つに記載の読取機付き机に存する。
【００１６】
本発明は、（７）上記（１）〜（６）のいずれか１つに記載の読取機付き机を用いた情報出力システムであって、出席者が、載置部に載置してある所定の用紙に情報を書き込む書込ステップと、情報が書き込まれた用紙を、載置部の隣の第２収納部に収納された読取機の読取面の上に、裏面を上にして載置し、読取機で読み取る読取りステップと、用紙に書き込まれた情報がモニタに表示される表示ステップと、用紙に書き込まれた情報がコンピュータに電子データ化されて格納される格納ステップと、コンピュータに格納された情報を、出力用コンピュータが受け取る受け取りステップと、該出力用コンピュータが情報を一定の配列で並び替える並び替えステップと、並び替えられた情報をそのまま記録媒体に出力する出力ステップと、からなる情報出力システムに存する。
【発明の効果】
【００１７】
本発明の読取機付き机においては、テーブル部上で、出席者が、冊子ではない平面状の一般的な用紙に、住所、氏名、役職等の情報を書き込むので、出席者にとって書きやすいという利点がある。
また、テーブル部には、用紙に書き込まれた情報を読み取る読取機と、読み取った情報を表示するモニタとが設置されているので、出席者が情報を書き込んだ用紙を、横方向に移動させ、即座に読取機に読み取らせることができ、また、同時にモニタに表示させることができる。
このとき、書き込まれた用紙をモニタに表示するので、主催者及び出席者が、書き込んだ内容に誤りがないか、出席者の記入した文字が読めないかどうか、をその場で確認することができる。
【００１８】
上記読取機付き机においては、内蔵されたコンピュータにより、読取機で読み取った情報がモニタに表示される。
このとき、同時に当該情報が電子データとしてコンピュータに格納される。このため、出席者の情報を紛失することなく、出席者の確認や整理が容易であり、格納した情報を、親族、友人、勤務先関係等に区分けして並び替えることも容易となる。
【００１９】
本発明の読取機付き机においては、載置部と第１収納部との間に第２収納部が配置されているので、載置部において、情報を記入した用紙を忘れることなく、隣の第２収納部に収納された読取機で読み取らせることができる。特に、読取機の読取面が平面状であり、該読取面に、用紙を載置することにより、該用紙に書き込んだ情報が読み取られるようになっていると、読取作業を手早く行うことができる。
また、モニタが平板状であり、上方に向けて情報を表示するようになっていると、用紙とモニタとを並べて確認することができ、且つ個人情報が他人に知られることを防止することができる。
さらに、読取面が、載置部の表面よりも下がっていると、載置部から情報を書き込んだ用紙をスライドさせ、読取面に落とし込むことができる。これにより、ずれることなく、用紙に書き込まれた情報を確実に読み取ることが可能となる。
【００２０】
本発明の読取機付き机においては、脚部が折り畳み可能となっている場合、読取機付き机の持ち運びが容易となる。
また、使わない場合は、脚部２０を折り畳んで、コンパクトにすることにより、スペースをとらずに収納することができる。
【００２１】
本発明の情報出力システムにおいては、上述した読取機付き机を用い、コンピュータに格納された情報を、出力用コンピュータが受け取り、該出力用コンピュータが情報を一定の配列で並び替え、並び替えられた情報をそのまま出力して記録媒体に格納することにより、並び替えられた情報を、記録媒体として保管することができ、また、当該記録媒体を持ち運びしたり、他人に提供することも可能となる。
【図面の簡単な説明】
【００２２】
【図１】図１は、本実施形態に係る読取機付き机の一例を示す斜視図である。
【図２】図２は、本実施形態に係る読取機付き机の一例を示す上面図である。
【図３】図３の（ａ）及び（ｂ）は、本実施形態に係る読取機付き机に用いられる用紙の例を示す正面図である。
【図４】図４は、本実施形態に係る読取機付き机から読取機及びモニタを取り外した状態を示す斜視図である。
【図５】図５は、本実施形態に係る情報出力システムを示すフローチャートである。
【図６】図６は、他の実施形態に係る読取機付き机を示す上面図である。
【図７】図７の（ａ）及び（ｂ）は、他の実施形態に係る読取機付き机を用いた例を示す上面図である。
【発明を実施するための形態】
【００２３】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２４】
本発明に係る読取機付き机は、例えば、冠婚葬祭において、出席者の住所、氏名、役職等の情報を電子データとして格納したい場合に好適に用いられる。
【００２５】
図１は、本実施形態に係る読取機付き机の一例を示す斜視図である。
図１に示すように、本実施形態に係る読取機付き机１００は、テーブル部１０と、該テーブル部１０を支持する脚部２０と、を備える。
そして、テーブル部１０は、用紙１３ａが載置された載置部１３、用紙１３ａに書き込んだ情報を読み取るための読取機１２ａが収納された第２収納部１２、及び、読取機１２ａで読み取られた情報を表示するモニタ１１ａが収納された第１収納部１１、を有している。
また、テーブル部１０は、コンピュータ１５ａが内蔵されている。
【００２６】
ここで、読取機付き机１００においては、載置部１３と第１収納部１１との間に第２収納部１２が配置される。これにより、載置部１３において、情報を記入した用紙１３ａを忘れることなくスムーズに、隣の第２収納部１２に収納された読取機１２ａで読み取らせることができる。
【００２７】
読取機付き机１００においては、テーブル部１０に、読取機１２ａと、モニタ１１ａとが設置されているので、用紙１３ａを、即座に読取機１２ａに読み取らせることができ、また、内蔵されたコンピュータ１５ａと、読取機１２ａ及びモニタ１１ａとが接続されているので、内蔵されたコンピュータ１５ａにより、同時にモニタ１１ａに表示させることができる。これにより、書き込んだ内容をその場で確認することができる。
このとき、用紙に書き込まれた情報を読取機１２ａで読み取り、コンピュータ１５ａに格納されたソフトウェアに基づいて、拡大してモニタ１１ａに表示することも可能である。また、同様に、コンピュータ１５ａに格納された別のソフトウェアに基づいて、用紙に書き込まれた直筆の情報を標準文字で現出させ、モニタ１１ａに表示することも可能である。
【００２８】
読取機付き机１００においては、情報が記入された用紙を読取機１２ａで読み取ると同時に、情報が電子データとしてコンピュータに格納される。このため、出席者の情報を紛失することを防止できる。また、コンピュータを用いることにより、出席者の確認や整理が容易であり、格納した情報を、親族、友人、勤務先関係等に区分けして並び替えることも容易となる。
【００２９】
読取機付き机１００において、第１収納部１１と、第２収納部１２とは、テーブル部１０の左側半分に設けられており、載置部１３は、テーブル部１０の右側半分に設けられている。このため、出席者は、広い載置部１３で用紙に記入することができ、圧迫感がない。
また、載置部１３は、表面が平面状となっているので、用紙１３ａの他、筆入れ等を自由に載置することも可能である。
【００３０】
読取機付き机１００においては、脚部２０が折り畳み可能となっている。このため、脚部２０を折り畳むことにより、容易に読取機付き机１００を持ち運ぶことができる。
また、収納する際には、脚部２０を折り畳んで、コンパクトにすることで、スペースをとらないという利点もある。
【００３１】
図２は、本実施形態に係る読取機付き机の一例を示す上面図である。
図２に示すように、本実施形態に係る読取機付き机においては、出席者が一方向の流れで、手続きを行うことができる。
すなわち、出席者は、載置部１３にて用紙に情報を書き込む。
次に、横方向に移動しながら、情報が書き込まれた用紙をスライドさせて、読取機１２ａにて書き込まれた情報を読み取らせる。
そして、横方向に移動して、モニタ１１ａにて、書き込んだ情報を確認する。
このように、出席者が歩く進行方向において、手続きを行うことができるので、受付が混み合うことも抑制することができる。
【００３２】
このとき、読取機付き机においては、読取機１２ａの読取面が、載置部１３の表面よりも下がっている。このため、載置部１３から情報を書き込んだ用紙をスライドさせ、読取面に落とし込むことができる。そうすると、用紙がずれることなく、用紙に書き込まれた情報を確実に読取機１２ａに読み取らせることが可能となる。
また、読取機１２ａがテーブル部１０の手前側に設けられている。すなわち、読取機１２ａの奥側の端からテーブル部１０の奥側の端までの距離Ｌ２が、読取機１２ａの手前側の端からテーブル部１０の手前側の端までの距離Ｌ１よりも、大きくなっている。このため、出席者が読取機１２ａに用紙を読み取らせることが容易であり、また、読取機１２ａの奥側のスペースに書籍等を載置することも可能となっている。
【００３３】
ここで、用いられる用紙は、特に限定されないが、予め書式を定めておくことが望ましい。
例えば、図３の（ａ）に示す個人用の用紙や、図３の（ｂ）に示す会社用の用紙、というように、予め書式を定めておくことにより、極めて見やすくなる。
また、仮に、コンピュータ１５ａに格納されたソフトウェアに基づいて、用紙に書かれた情報をテキスト文章等に変換する場合、出席者が記入する箇所を、予め変換しやすい位置に配置することで、誤認識を抑制することができる。
【００３４】
図４は、本実施形態に係る読取機付き机から読取機及びモニタを取り外した状態を示す斜視図である。
図４に示すように、第２収納部１２は、読取機１２ａが収納可能となるように凹状となっている。なお、第２収納部１２の深さは、読取機１２ａが収納可能であれば特に限定されない。
ここで、読取機１２ａの読取面（用紙を直接接触させる部分）は、平面状となっており、上からの情報を読み取るようになっている。すなわち、用紙の裏面を上にして読取面に載置することで用紙に書き込まれた情報を読み取るようになっている。
【００３５】
また、第１収納部１１は、モニタ１１ａが収納可能となるように凹状となっている。なお、第１収納部１１の深さは、モニタ１１ａが収納可能であれば特に限定されない。
ここで、モニタは、平板状となっており、上方に向けて情報を表示するようになっている。このため、用紙１３ａとモニタとを並べて確認することもできる。また、その場に居る人にしか視認できないので、個人情報が他人に知られることを防止することができる。
【００３６】
このように、第１収納部１１にモニタ１１ａが収納され、第２収納部１２に読取機１２ａが収納されるようになっているので、モニタ１１ａ及び読取機１２ａが落下することなく、読取機付き机１００の持ち運びすることができる。
【００３７】
読取機付き机１００において、テーブル部１０は、下面の一部が下方に突出しており、コンピュータ１５ａが内蔵されている。なお、該コンピュータ１５ａには、図示しないキーボードが無線又は有線で接続されており、該キーボードにより操作されるようになっている。
上述したように、コンピュータ１５ａには、読取機１２ａとモニタ１１ａとが接続されている。したがって、キーボードの操作によりコンピュータ１５ａから指令が発信され、読取機１２ａが用紙１３ａに書き込まれた情報を読み取り、それをモニタ１１ａに表示するようになっている。
また、コンピュータ１５ａは、読取機１２ａで読み取られた情報を格納するようになっている。
【００３８】
このように、本実施形態に係る情報出力システムにおいては、読取機付き机１００を用いることにより、ファイリング等の手間をかける必要なく、出席者が所定の用紙に書き込んだ情報を、その場で確認しながら、しかも瞬時に電子データとして格納することが可能となる。
また、格納された電子データは、親族、友人、勤務先関係等の整理区分に応じて、容易に分けることができ、容易に電子データの順序を並べ変えることもできる。
【００３９】
次に、本実施形態に係る情報出力システムについて説明する。
本実施形態に係る情報出力システムにおいては、上述した読取機付き机１００が用いられる。
図５は、本実施形態に係る情報出力システムを示すフローチャートである。
図５に示すように、本実施形態に係る情報出力システムにおいては、出席者が、載置部１３に載置してある所定の用紙１３ａに情報を書き込む書込ステップＳ１と、情報が書き込まれた用紙を、載置部１３の隣の第２収納部１２に収納された読取機１２ａの読取面の上に、裏面を上にして載置し、当該読取機１２ａで読み取る読取りステップＳ２と、用紙１３ａに書き込まれた情報がモニタ１１ａに表示される表示ステップＳ３と、用紙１３ａに書き込まれた情報がコンピュータに電子データ化されて格納される格納ステップＳ４と、コンピュータに格納された情報を、出力用コンピュータが受け取る受け取りステップＳ５と、該出力用コンピュータが情報を一定の配列で並び替える並び替えステップＳ６と、並び替えられた情報をそのまま記録媒体に出力する出力ステップＳ７とからなる。
【００４０】
まず、書込みステップＳ１においては、出席者が、載置部１３に載置してある所定の用紙１３ａに情報を書き込む。
次に、読取りステップＳ２においては、書込みステップＳ１で、情報が書き込まれた用紙を、載置部１３の隣の第２収納部１２に収納された読取機１２ａの読取面の上に、裏面を上にして載置し、当該読取機１２ａで読み取る。
このとき、読取りステップＳ２における読み取りは、コンピュータ１５ａの指令に基づいて行われる。
【００４１】
そうすると、表示ステップＳ３において、用紙１３ａに書き込まれた情報がモニタ１１ａに表示される。
また、格納ステップＳ４において、用紙１３ａに書き込まれた情報が読取機１２ａを介して、電子データ化された状態でコンピュータに格納される。
なお、表示ステップＳ３と格納ステップＳ４とは、コンピュータ１５ａの指令に基づいて、略同時に行われる。
【００４２】
表示ステップＳ３においては、モニタ１１ａに表示された情報に対し、出席者が、記入誤りがないかを確認し、同時に、主催者が、文字が読めるかどうかを確認する。仮に、誤りがあったり、文字が読めない場合は、出席者に用紙に記入し直してもらい、再度、読取機１２ａで読み取ると共に、確認を行えばよい。
【００４３】
次に、受け取りステップＳ５において、コンピュータ１５ａが、該コンピュータ１５ａに格納された情報を送信し、出力用コンピュータが当該情報を受け取る。
そして、並び替えステップＳ６において、出力用コンピュータが情報を一定の配列で並び替える。
ここで、一定の配列とは、特に限定されないが、例えば、親族、友人、勤務先関係等の整理区分に分けた上で、氏名のあいうえお順、年齢順等の配列が挙げられる。
【００４４】
次に、出力ステップＳ７において、並び替えられた情報をそのまま記録媒体に出力する。なお、記録媒体としては、紙や、ＣＤ−Ｒ、ＤＶＤ−Ｒ等が挙げられる。
これにより、例えば、住所録を製本化した住所録帳や住所録を格納したＣＤ等が得られる。
【００４５】
本実施形態に係る情報出力システムにおいては、上述した読取機付き机を用い、コンピュータに格納された情報を、出力用コンピュータが受け取り、該出力用コンピュータが情報を一定の配列で並び替え、並び替えられた情報をそのまま記録媒体に出力することにより、並び替えられた情報を、記録媒体として保管することができ、また、その記録媒体を持ち運びしたり、他人に提供することも可能となる。
【００４６】
以上、本発明の好適な実施形態について説明したが、本発明は上記実施形態に限定されるものではない。
【００４７】
例えば、本実施形態に係る読取機付き机１００においては、モニタ１１ａが、平板状となっており、上方に向けて情報を表示するようになっているが、必ずしも平板状である必要はない。
【００４８】
本実施形態に係る情報出力システムにおいては、受け取りステップＳ５において、コンピュータ１５ａに格納された情報を、出力用コンピュータが受け取るようになっているが、コンピュータ１５ａが、該コンピュータ１５ａに格納された情報を送信し、ネットワークを介して、出力用コンピュータが当該情報を受け取るようにしてもよい。
また、コンピュータ１５ａと出力用コンピュータとは同一のものであってもよい。すなわち、コンピュータ１５ａが出力用コンピュータを兼ねていてもよい。
この場合、情報を送受信する手間が省ける。
【００４９】
本実施形態に係る読取機付き机１００においては、テーブル部１０に、用紙に書き込んだ情報を読み取るための読取機１２ａが収納された第２収納部１２が、一箇所設けられているが、第２収納部が二箇所設けられていることが好ましい。
【００５０】
図６は、他の実施形態に係る読取機付き机を示す上面図である。
図６に示すように、他の実施形態に係る読取機付き机１０１においては、載置部１３と第１収納部１１との間に、出席者の進行方向Ａに直交する方向の左側に第２収納部（以下便宜的に「第２左収納部）という。）２２ａ、右側に第２収納部（以下便宜的に「第２右収納部）という。）２２ｂが配置されている。なお、第２左収納部２２ａ及び第２右収納部２２ｂには、それぞれ独立に、読取機が収納される。
【００５１】
読取機付き机１０１においては、例えば、図７の（ａ）に示すように、入り口が左側にある場合、出席者は、第２左収納部２２ａに収納された読取機を用いて、用紙に書き込んだ情報を読み取らせることができる。
一方、図７の（ｂ）に示すように、入り口が右側にある場合、出席者は、第２右収納部２２ｂに収納された読取機を用いて、用紙に書き込んだ情報を読み取らせることができる。
したがって、読取機付き机１０１によれば、第２収納部が二箇所設けられているので、読取機付き机１０１自体を反転させることにより、出席者の進行方向に関わらず、用紙に書き込んだ情報を、その場で確認しながら電子データとして格納することができる。
【産業上の利用可能性】
【００５２】
本発明の読取機付き机１００及び情報出力システムは、冠婚葬祭において、出席者の住所、氏名、役職等の情報を電子データとして格納したい場合に好適に用いられる。本発明の読取機付き机１００によれば、用紙に書き込んだ情報を、その場で確認しながら電子データとして格納することができ、本発明の情報出力システムによれば、格納された情報を一定の配列で並び替えた状態で記録媒体に格納することができる。
【符号の説明】
【００５３】
１０・・・テーブル部
１１・・・第１収納部
１１ａ・・・モニタ
１２・・・第２収納部
１２ａ・・・読取機
１３・・・載置部
１３ａ・・・用紙
１５ａ・・・コンピュータ
２０・・・脚部
２２ａ・・・第２左収納部（第２収納部）
２２ｂ・・・第２右収納部（第２収納部）
１００，１０１・・・読取機付き机
Ｓ１・・・書込ステップ
Ｓ２・・・読取りステップ
Ｓ３・・・表示ステップ
Ｓ４・・・格納ステップ
Ｓ５・・・受け取りステップ
Ｓ６・・・並び替えステップ
Ｓ７・・・出力ステップ
【要約】
【課題】用紙に書き込んだ情報を、その場で確認しながら電子データとして格納することができる読取機付き机、及び、格納された情報を一定の配列で並び替えた状態で記録媒体に格納することができる情報出力システムを提供すること。
【解決手段】本発明は、用紙１３ａが載置された載置部１３、用紙１３ａに書き込んだ情報を読み取るための読取機１２ａが収納された第２収納部１２、及び、読取機１２ａで読み取られた情報を表示するモニタ１１ａが収納された第１収納部１１、を有するテーブル部１０と、該テーブル部１０を支持する脚部２０と、を備え、テーブル部１０には、読取機１２ａで読み取られた情報を格納するコンピュータ１５ａが内蔵されている読取機付き机１００及びそれを用いた情報出力システムである。
【選択図】図１【図１】
0005497953.tif 000002
【図２】
0005497953.tif 000003
【図３】
0005497953.tif 000004
【図４】
0005497953.tif 000005
【図５】
0005497953.tif 000006
【図６】
0005497953.tif 000007
【図７】
0005497953.tif 000008